(57)【要約】【課題】大気汚染と建物などへの汚損が少なく、非常用発電機関の出力を低下させることのない非常用発電機関の排気設備およびその運用方法を提供する。【解決手段】非常用発電機関１に接続され前記非常用発電機関から排出される排気ガスを導く主煙道２ａの終端に消音器側分岐煙道５を介して接続された消音器３と、同じく前記主煙道２ａの終端に排気ガス浄化装置側分岐煙道６を介して接続された排気ガス浄化装置７と、前記主煙道２ａの終端と前記消音器側分岐煙道５および前記排気ガス浄化装置側分岐煙道６との接続部に設けられ前記主煙道２ａを前記消音器側分岐煙道５または前記排気ガス浄化装置側分岐煙道６のいずれか一方に切替連通させる煙道切替装置４とを備えている構成とする。【選択図】  図１
2005048615.tif 000002
【特許請求の範囲】
【請求項１】
非常用発電機関に接続され前記非常用発電機関から排出される排気ガスを導く主煙道の終端に消音器側分岐煙道を介して接続された消音器と、同じく前記主煙道の終端に排気ガス浄化装置側分岐煙道を介して接続された排気ガス浄化装置と、前記主煙道の終端と前記消音器側分岐煙道および前記排気ガス浄化装置側分岐煙道との接続部に設けられ前記主煙道を前記消音器側分岐煙道または前記排気ガス浄化装置側分岐煙道のいずれか一方に切替連通させる煙道切替装置とを備えていること特徴とする非常用発電機関の排気設備。
【請求項２】
前記非常用発電機関の通常運転信号が入力されて前記煙道切替装置を消音器側に切替え、前記非常用発電機関の試運転信号が入力されて前記煙道切替装置を浄化装置側に切替える制御回路を備えていることを特徴とする請求項１記載の非常用発電機関の排気設備。
【請求項３】
請求項１記載の非常用発電機関の排気設備において、前記煙道切替装置は、前記非常用発電機関の試験運転時以外は前記消音器側分岐煙道に切替えられていることを特徴とする非常用発電機関の排気設備の運用方法。
【発明の詳細な説明】
【０００１】
【発明の属する技術分野】
本発明は、原子力発電所等に設備されて非常時に運転される非常用発電機関の排気設備およびその運用方法に関する。
【０００２】
【従来の技術】
原子力発電所等に設備されて非常時に運転される非常用発電機関の排気設備は例えば下記特許文献１に記載されているが、図７に示すような構成になっている。すなわち、非常用発電機関１に煙道２が接続され、煙道２の先端に消音器３が接続されている。非常用発電機関１から排出された排気ガスは、煙道２を通って消音器３から大気へ放出される。
【０００３】
非常用発電機関は安全系の設備であり、毎月１回の試験運転が課せられており、それに伴う大気汚染、建物の汚れ等への対策は、原子力発電所の運転・メンテナンスにとって看過し得ない問題である。一方で、非常用発電機関はプラントの運転中、万一の外部電源喪失時に備えて常に大容量負荷投入に備えた待機状態にあることが必須である。
【０００４】
【特許文献１】
特開２０００−６４８５２号公報
【０００５】
【発明が解決しようとする課題】
上記のように、非常用発電機関から排出された排気ガスは消音器からすす等の有害物質をそのまま大気へ放出しているため大気汚染、建物などへの汚れを生じる。また非常用発電機関は、排気ガス浄化装置を通すと大容量負荷の投入時には最大必要出力が低下して停止または回転数が低下するため、容量を増加しなければならないという問題がある。
【０００６】
そこで、本発明は、大気汚染と建物などへの汚損が少なく、非常用発電機関の出力を低下させることのない非常用発電機関の排気設備およびその運用方法を提供することを目的とする。
【０００７】
【課題を解決するための手段】
請求項１の発明は非常用発電機関の排気設備であり、非常用発電機関に接続され前記非常用発電機関から排出される排気ガスを導く主煙道の終端に消音器側分岐煙道を介して接続された消音器と、同じく前記主煙道の終端に排気ガス浄化装置側分岐煙道を介して接続された排気ガス浄化装置と、前記主煙道の終端と前記消音器側分岐煙道および前記排気ガス浄化装置側分岐煙道との接続部に設けられ前記主煙道を前記消音器側分岐煙道または前記排気ガス浄化装置側分岐煙道のいずれか一方に切替連通させる煙道切替装置とを備えている構成とする。
【０００８】
請求項２の発明は、前記非常用発電機関の運転状態に関する信号を入力されて前記煙道切替装置を切替える制御回路を備えている構成とする。
請求項３の発明は非常用発電機関の排気設備の運用方法であり、請求項１記載の非常用発電機関の排気設備において、前記煙道切替装置は、前記非常用発電機関の試験運転時以外は前記消音器側分岐煙道に切替えられている構成とする。
【０００９】
【発明の実施の形態】
図１を参照して本発明の第１の実施の形態を説明する。
本実施の形態の非常用発電機関の排気設備は図１に示すように、ディーゼル発電機等の非常用発電機関１に接続された主煙道２ａと、消音器３と、煙道切替装置４と、分岐煙道（消音器側）５と、分岐煙道（排気ガス浄化装置側）６および排気ガス浄化装置７により構成されている。
【００１０】
非常用発電機関１の排気側は主煙道２ａに接続され、主煙道２ａの終端に煙道切替装置４を設けている。煙道切替装置４の排気ガスの出口側は２つに分岐し、一方は分岐煙道５を経て消音器３に接続され、他方は分岐煙道６を経て排気ガス浄化装置７に接続されている。
【００１１】
煙道切替装置４は仕切り板４ａを動かして、排気ガスの流れを分岐煙道５を通り消音器３側へ、あるいは分岐煙道６を通り排気ガス浄化装置７側へ切替えることができる機構を有している。
【００１２】
煙道切替装置４は通常状態では消音器３側に排気ガスを流すように切替えておく。非常用発電機関１を試験運転するときには、事前に煙道切替装置４を分岐煙道６側に切替えて運転し、排気ガス浄化装置７側から排気ガスを放出する。
【００１３】
非常用発電機関１の負荷投入時の最大出力を必要とする運転を行う場合は、煙道切替装置４は消音器３側とすることで排気ガスは分岐煙道５を通り消音器３から大気に放出される。
【００１４】
本実施の形態によれば、煙道切替装置４で排気ガスの放出経路を切替操作できるので、非常用発電機関１の試験運転のときは排気ガス浄化装置７で有害物質を浄化した排気ガスを大気に放出することができる。また、非常用発電機関１の負荷投入時の最大出力が必要なときは、消音器３側から排気ガスを大気に放出できるので、非常用発電機関１の容量を増加せずとも出力低下を招かずに運転することができる。
【００１５】
つぎに図２を参照して本発明の第２の実施の形態を説明する。
この実施の形態の非常用発電機関の排気設備は、煙道切替装置４の切替え構造を電動力などの外部からの強制的な動作力が働かないときは仕切り板の自重またはバネ８の力などにより分岐煙道５を通り消音器３側が導通する煙道切替装置４を有した構成としている。その他の構成は第１の実施の形態と同じである。
【００１６】
この第２の実施の形態では、排気ガス浄化装置７側への切替え操作の動力だけがあれば、消音器３側への切替えはその動力を解除することにより自動的に分岐煙道５側に切替えられ、排気ガスは分岐煙道５を通り消音器３から大気に放出される。
【００１７】
本実施の形態によれば、煙道切替装置４で排気ガスの放出経路を切替操作できるので、非常用発電機関１の試験運転のときは排気ガス浄化装置７で有害物質を浄化した排気ガスを大気に放出することができるとともに、非常用発電機関１の負荷投入時の最大出力が必要なときは、優先して消音器３側から排気ガスを大気に放出できるので非常用発電機関１の容量を増加せずとも出力低下を招かずに運転することができる。
【００１８】
つぎに図３、図４を参照して本発明の第３の実施の形態を説明する。
この実施の形態の非常用発電機関の排気設備は、図３に示すように、非常用発電機関１に接続された主煙道２ａと、消音器３と、煙道切替装置４と、分岐煙道（消音器側）５と、分岐煙道（排気ガス浄化装置側）６と、排気ガス浄化装置７および制御回路９により構成されている。制御回路９は、図４に示すようにＮＯＴ回路１１と、ＡＮＤ回路１２，１３と、ＯＲ回路１４，１５，１６とワイプアウト（ＷＯ）１７，１８を備えている。
【００１９】
煙道切替装置４は制御回路９からの切替動作信号により遠隔で排気ガスの経路を切替える。煙道切替装置４への制御回路９からの切替動作の入力信号は、排気ガス浄化装置７側への切替操作信号２１、非常用発電機関１の最大要求出力信号２２、非常用発電機関１の手動始動信号２３、排気ガス浄化装置７側信号２４、消音器３側への切替操作信号２５、非常用発電機関１の停止信号２６、消音器３側信号２７から構成される。
【００２０】
非常用発電機関１の試験運転時は、非常用発電機関１の最大要求出力信号２２が発生されてない条件で非常用発電機関１の手動始動信号２１により煙道切替装置４は分岐煙道６側へ自動で切替えられ（信号３１）、同じ条件で排気ガス浄化装置７側への切替操作信号２４によっても分岐煙道６側へ遠隔で切替えられる。排気ガス浄化装置７側信号２４により、分岐煙道６側への操作信号は解除される。
【００２１】
非常用発電機関１の最大要求出力信号２２が発生されると煙道切替装置４は分岐煙道５側へ自動で切替えられ、非常用発電機関１の停止信号２６によっても自動で分岐煙道５側へ切替えられる。消音器３側信号２７により、分岐煙道５側への操作信号は解除される。
【００２２】
本実施の形態によれば、煙道切替装置４への制御回路９からの入力信号で排気ガスの放出経路を切替操作できるので、非常用発電機関１の試験運転のときは排気ガス浄化装置７で有害物質を浄化した排気ガスを大気に放出することができるとともに、非常用発電機関１の負荷投入時の最大出力が必要なときは消音器３側から排気ガスを大気に放出することができるので、非常用発電機関１の容量を増加せずとも出力低下を招かずに運転することができる。
【００２３】
つぎに図５，図６を参照して本発明の第４の実施の形態を説明する。
この実施の形態の非常用発電機関の排気設備は、図５に示すように、煙道切替装置４は制御回路９からの切替動作信号により遠隔で排気ガスの経路を切替える構成であり、排気ガス浄化装置７側への切替えは電気的な動力などで切替え動作し、消音器３側への切替えは排気ガス浄化装置７側への電気的な動力源などを開放すると自重またはバネ力８などで消音器３側へ切替えられる構造である。
【００２４】
制御回路９の構成を図６に示す。煙道切替装置４への制御回路９からの切替動作の入力信号は第３の実施の形態（図４）と同じであり、排気ガス浄化装置７側への切替操作も同じ作用であるが、非常用発電機関１の最大要求出力信号２２が発生された場合は排気ガス浄化装置７側への切替信号による動力を開放することにより自動で分岐煙道５側へ切替えられ、非常用発電機関１の停止信号２６によっても同様に自動で分岐煙道５側へ切替えられる。
【００２５】
本実施の形態によれば、煙道切替装置４への制御回路９からの入力信号で排気ガスの放出経路を切替操作できるので、非常用発電機関１の試験運転のときは排気ガス浄化装置７で有害物質を浄化した排気ガスを大気に放出することができるとともに、非常用発電機関１の負荷投入時の最大出力が必要なときは優先して消音器３側から排気ガスを大気に放出することができるので、非常用発電機関１の容量を増加せずとも出力低下を招かずに運転することができる。
【００２６】
【発明の効果】
本発明によれば、大気汚染と建物などへの汚損が少なく、非常用発電機関の出力を低下させることのない非常用発電機関の排気設備およびその運用方法を提供することができる。
【図面の簡単な説明】
【図１】本発明の第１実施の形態の非常用発電機関の排気設備の構成図。
【図２】本発明の第２実施の形態の非常用発電機関の排気設備の構成を示し、（ａ）は全体図、（ｂ）は煙道切替装置の詳細図。
【図３】本発明の第３実施の形態の非常用発電機関の排気設備の構成図。
【図４】本発明の第３実施の形態の非常用発電機関の排気設備に備えられる制御回路のブロック構成図。
【図５】本発明の第４実施の形態の非常用発電機関の排気設備の構成を示し、（ａ）は全体図、（ｂ）は煙道切替装置の詳細図。
【図６】本発明の第４実施の形態の非常用発電機関の排気設備に備えられる制御回路のブロック構成図。
【図７】従来の非常用発電機関の排気設備の構成図。
【符号の説明】
１…非常用発電機関、２…煙道、２ａ…主煙道、３…消音器、４…煙道切替装置、４ａ…仕切り板、５，６…分岐煙道、７…排気ガス浄化装置、８…バネ、９…制御回路、１１…ＮＯＴ回路、１２，１３…ＡＮＤ回路、１４，１５，１６…ＯＲ回路、１７，１８…ワイプアウト。
【図１】
2005048615.tif 000003
【図２】
2005048615.tif 000004
【図３】
2005048615.tif 000005
【図４】
2005048615.tif 000006
【図５】
2005048615.tif 000007
【図６】
2005048615.tif 000008
【図７】
2005048615.tif 000009